(57)【要約】【課題】除染や瓦礫の処理に要するコストを低く抑え、放射能の拡散を防止し、災害が発生したことを後世に伝えることなどが可能な瓦礫を用いた建造物及び瓦礫の利用方法を提供する。【解決手段】災害により生じた瓦礫を被災地において集積し、該集積した瓦礫を用いて該被災地において建築材料１１を製造し、該被災地において、該建築材料を利用して建造物１を建造する瓦礫の利用方法。被災地で発生した瓦礫を被災地外へ運送することもなく、瓦礫を埋め立て処理したり、焼却処理する必要がないため、瓦礫の処理に要するコストを低く抑えることができ、瓦礫が放射能を帯びていても、被災地の外部に流出しないため、放射能の拡散を防止することもできる。建築材料は、瓦礫の粉砕物を原料の一つとして製造することができ、瓦礫を用いた建造物は、防波壁として機能させることができる。建造物の表面に太陽電池を備えてもよく、建造物を慰霊碑とすることもできる。【選択図】図２
2013224553.tif 000002
【特許請求の範囲】
【請求項１】
被災地に堆積する瓦礫を用いて該被災地において製造される建築材料によって、該被災地に建造されることを特徴とする瓦礫を用いた建造物。
【請求項２】
前記建築材料は、前記瓦礫の粉砕物を原料の一つとして製造されることを特徴とする請求項１に記載の瓦礫を用いた建造物。
【請求項３】
該瓦礫を用いた建造物は、防波壁として機能することを特徴とする請求項１又は２に記載の瓦礫を用いた建造物。
【請求項４】
該建造物の表面に太陽電池を備えることを特徴とする請求項１、２又は３に記載の瓦礫を用いた建造物。
【請求項５】
該建造物は慰霊碑であることを特徴とする請求項１乃至４のいずれかに記載の瓦礫を用いた建造物。
【請求項６】
災害により生じた瓦礫を被災地において集積し、
該集積した瓦礫を用いて該被災地において建築材料を製造し、
該被災地において、該建築材料を利用して建造物を建造することを特徴とする瓦礫の利用方法。
【発明の詳細な説明】
【技術分野】
【０００１】
本発明は、瓦礫を用いた建造物及び瓦礫の利用方法に関し、特に、津波等の災害により発生した瓦礫を用いた建造物等に関する。
【背景技術】
【０００２】
２０１１年３月１１日、日本の観測史上最大規模の東日本大震災が発生し、これに伴って東北地方等の太平洋側沿岸では大津波が発生し、陸に押し寄せた高い津波は、各地で防波堤等を乗り越えて建造物や構造物を破壊した。一方、福島第一原子力発電所では、全電源を喪失して原子炉を冷却できなくなり、大量の放射性物質の漏洩を伴う重大な原子力事故が発生した。
【発明の概要】
【発明が解決しようとする課題】
【０００３】
上記大津波により破壊された建造物等が瓦礫となって被災地に大量に堆積して問題となっている。この瓦礫は、一時的に仮置き場に集積された後、一部が焼却処理され、残りは埋め立て処理されている。しかし、これらの処理に要する費用は膨大であると共に、全ての瓦礫を処理するには少なくとも数年かかるという問題があった。また、放射能を帯びた瓦礫については、水洗等によって除染する必要があるが、除染後に生じる除染水は海へ放出され、放射能を拡散することとなる。
【０００４】
本発明は、上記状況下でなされたものであって、除染や瓦礫の処理に要するコストを低く抑えると共に、放射能の拡散を防止し、災害が発生したことを後世に伝えることなどを目的とする。
【課題を解決するための手段】
【０００５】
上記目的を達成するため、本発明は、瓦礫を用いた建造物であって、被災地に堆積する瓦礫を用いて該被災地において製造される建築材料によって、該被災地に建造されることを特徴とする。
【０００６】
そして、本発明によれば、被災地で発生した瓦礫を被災地外へ運送することもなく、瓦礫を埋め立て処理したり、焼却処理する必要がないため、瓦礫の処理に要するコストを低く抑えることができる。また、瓦礫が放射能を帯びていても、被災地の外部に流出しないため、放射能の拡散を防止することもできる。
【０００７】
上記瓦礫を用いた建造物において、前記建築材料を、前記瓦礫の粉砕物を原料の一つとして製造することができる。例えば、瓦礫の粉砕物にセメント等を混合してコンクリートを製造し、このコンクリートを建築材料として用いることができる。さらに、放射能を帯びた瓦礫については、コンクリートで覆うことにより、放射能の拡散を防止することができ、除染を行う必要がないため、放射能汚染を引き起こす虞がない。
【０００８】
上記瓦礫を用いた建造物において、該瓦礫を用いた建造物を防波壁として機能させることができる。これにより、被災地において再度津波が発生した際に、被災地への津波の侵入を防止することができる。
【０００９】
上記瓦礫を用いた建造物において、該建造物の表面に太陽電池を設けることができる。これにより、建造物を建造する土地を有効に活用することができる。
【００１０】
上記瓦礫を用いた建造物において、該建造物を慰霊碑とすることができる。これにより、災害により亡くなった人々のこと、及び災害が発生したことを忘れずに後世に伝えることができる。
【００１１】
また、本発明は、瓦礫の利用方法であって、災害により生じた瓦礫を被災地において集積し、該集積した瓦礫を用いて該被災地において建築材料を製造し、該被災地において、該建築材料を利用して建造物を建造することを特徴とする。
【００１２】
そして、本発明によれば、上記発明と同様に、瓦礫の処理に要するコストを低く抑え、放射能の拡散を防止することもできる。
【発明の効果】
【００１３】
以上のように、本発明によれば、除染や瓦礫の処理に要するコストを低く抑えると共に、放射能の拡散を防止し、災害が発生したことを後世に伝えることなどが可能となる。
【図面の簡単な説明】
【００１４】
【図１】本発明に係る瓦礫の利用方法を説明するための図である。
【図２】本発明に係る瓦礫を用いた建造物の一実施の形態を示す概略図である。
【図３】図２に示す建造物を利用した福島天宮を示す概略図である。
【図４】図３に示す本殿及び別院を建造する際に利用する魔方陣を示す概略図である。
【発明を実施するための形態】
【００１５】
以下、本発明の一実施の形態について、図面を参照しながら詳細に説明する。尚、以下の説明においては、上記東日本大震災により発生した大津波により生じた瓦礫を処理する場合を例にとって説明する。
【００１６】
図１に示すように、本発明では、まず、津波被害を受けた被災地である福島県Ｆ、宮城県Ｍ及び岩手県Ｉにおいて、各県に堆積された瓦礫を福島県Ｆに集積する。
【００１７】
集積された瓦礫は粉砕され、この粉砕物を原料の一部としてコンクリートブロック（建築材料）を製造する。ここで、福島県Ｆに堆積された瓦礫、並びに宮城県Ｍ及び岩手県Ｉから集積された瓦礫の一部は、放射能を帯びているものが存在するため、そのような瓦礫については、粉砕した後、コンクリートの原料とせずに、コンクリートで覆うことにより放射能汚染を防止する。尚、放射能を帯びていない瓦礫については、コンクリートブロックに限らず、他の建築材料として利用することも可能である。
【００１８】
そして、図２に示すように、製造されたコンクリートブロック１１を用いて、福島県Ｆの沿岸部に建造物１を建造する。この建造物１は、図中の矢印Ａ、Ｂの方向に長く連続して建造されるものであって、防波壁として機能させることができる。
【００１９】
建造物１は、多数のコンクリートブロック１１からなり、この建造物１の東側の面１ａには、太陽電池２を設ける。この太陽電池２として、フレキシブルＣＩＧＳ太陽電池モジュール（グローバルソーラーエナジー社製）を使用することが好ましい。このフレキシブルＣＩＧＳ太陽電池モジュールは、軽量で、容易に曲げたり折り畳んだりすることができるため、建造物１に容易に設置することができる。尚、建造物１の東側の面１ａ以外の面や、建造物１に屋根を設け、屋根に太陽電池２を設置することもできる。
【００２０】
尚、上記実施の形態においては、津波により発生した瓦礫を処理する方法を例示したが、人的災害や自然災害によらず、様々な災害において発生した瓦礫に本発明を適用することができる。
【００２１】
また、上記建造物１を防波堤として機能させるだけでなく、瓦礫が発生した原因となった災害により亡くなった人々のことや、災害が発生したことを忘れずに後世に伝えるための慰霊碑とすることもできる。
【００２２】
さらに、図３に示すように、上記コンクリートブロック１１等を用いて本殿２２を建築し、また、全国に建築された別院２３〜２５とで福島天宮２１を構成することができる。ここで、本殿２２には、連帯と団結と絆の象徴としてへその緒をまつり、別院２３〜２５は、放射能を帯びていない建築材料を用いて建築し、本殿２２に用いられる瓦礫の放射能が無害化するまでの期間に慰霊祭を行う。
【００２３】
そして、上記本殿２２及び別院２３〜２５は、上述のように、太陽電池２を設置することができる。これにより、本殿２２及び別院２３〜２５を建造する土地を有効に利用することもできる。
【００２４】
また、本殿２２及び別院２３〜２５には、例えば、図４に示すように、太陽の魔方陣を刻印することができる。この太陽の魔方陣とは、６×６の正方形からになり、縦、横及び斜めの数列の総和が１１１になり、各正方形内の数の総和が６６６になる魔方陣のことで、太陽エネルギーを象徴する魔方陣として、従来から知られているものである。これにより、本殿２２及び別院２３〜２５を太陽エネルギーを利用する象徴的な建造物として後世に残すことができる。
【００２５】
そして、別院２３〜２５において、以下に示すように、例えば、同一の数字が連続する日程で小祭や中祭を行うことができる。同一の数字が連続する数列（ぞろ目）は、昔から縁起が良いとされており好ましい。尚、本殿２２では、上述のように、放射能汚染瓦礫を含むコンクリートブロック１１で建造しているため、以下に示す１０〜８０年祭を行うことができない。
【００２６】
（１）１０年祭  ２０２２年２月２日〜２月２２日
（２）２０年祭  ２０３３年３月３日
（３）３０年祭  ２０４４年４月４日
（４）４０年祭  ２０５５年５月５日
（５）５０年祭  ２０６６年６月６日  ※中祭
（６）６０年祭  ２０７７年７月７日
（７）７０年祭  ２０８８年８月８日
（８）８０年祭  ２０９９年９月９日
【００２７】
１００年後においては、本殿２２を構成するコンクリートブロック１１に含まれる放射能汚染瓦礫が無害化するため、本殿２２において慰霊祭を行うことができる。この慰霊祭は、例えば、上記同様、以下に示すような同一の数字が連続する日程で行うことができる。尚、２００年祭り及び１０００〜３０００年祈願大祭は、全国の別院２３〜２５でも慰霊祭を行うことができる。
【００２８】
（１）１００年祭  ２１１１年１月１日〜１月１１日
（２）２００年祭  ２２２２年２月２日〜２月２２日
（３）３００年祭  ２３３３年３月３日
（４）４００年祭  ２４４４年４月４日
（５）５００年祭  ２５５５年５月５日
（６）６００年祭  ２６６６年６月６日
（７）７００年祭  ２７７７年７月７日
（８）８００年祭  ２８８８年８月８日
（９）９００年祭  ２９９９年９月９日
（１０）１０００年祭  ３１１１年１月１日〜１月１１日
（１１）１０００年祈願大祭  ３３３３年３月３日
（１２）２０００年祈願大祭  ４４４４年４月４日
（１３）３０００年祈願大祭  ５５５５年５月５日
【００２９】
以上のように、災害により生じた瓦礫を利用して建築された本殿２２等を慰霊碑とし、これらの建造物にて慰霊祭を行うことにより、災害により亡くなった人々のことや、災害が発生したことを後を忘れずに後世に語り継ぐことができる。
【符号の説明】
【００３０】
１  建造物
１ａ  東側の面
２  太陽電池
１１  コンクリートブロック
２１  福島天宮
２２  本殿
２３〜２５  別院
Ｆ  福島県
Ｍ  宮城県
Ｉ  岩手県
【図１】
2013224553.tif 000003
【図２】
2013224553.tif 000004
【図３】
2013224553.tif 000005
【図４】
2013224553.tif 000006